(57)【要約】【課題】ディスクトレイの排出に連動して扉を回動させることが可能な電子機器であって、扉を開放位置で安定的に保持することが可能な電子機器を提供すること。【解決手段】扉２００は、挿脱口３０３を閉塞する閉塞位置と挿脱口３０３を開放する開放位置との間で本体１００に対して回動可能である。反転バネ５００は、扉２００の閉塞位置と開放位置との間で予め決められた位置を中間位置として、中間位置と閉塞位置との間の第１の範囲にあるとき、扉２００を中間位置から閉塞位置へ向けて付勢し、扉２００が中間位置と開放位置との間の第２の範囲にあるとき、扉２００を中間位置から開放位置へ向けて付勢する。回動規制片４１３は、扉２００が第２の範囲にあるとき、扉２００に干渉して扉２００が開放位置から中間位置へ移動するのを規制する。【選択図】図８
2012123863.tif 000002
【特許請求の範囲】
【請求項１】
開口を有する本体と、
前記開口を閉塞する閉塞位置と前記開口を開放する開放位置との間で前記本体に対して回動可能な扉と、
前記扉の前記閉塞位置と前記開放位置との間で予め決められた位置を中間位置として、前記中間位置と前記閉塞位置との間の第１の範囲にあるとき、前記扉を前記中間位置から前記閉塞位置へ向けて付勢し、前記扉が前記中間位置と前記開放位置との間の第２の範囲にあるとき、前記扉を前記中間位置から前記開放位置へ向けて付勢する付勢手段と、
記録媒体を着脱可能であり、前記本体に対して前記開口を通じて排出及び挿入可能であり、前記本体から排出される際前記閉塞位置にある前記扉に干渉して前記扉を回動させるトレイと、
前記扉が前記第２の範囲にあるとき、前記扉に干渉して前記扉が前記開放位置から前記中間位置へ移動するのを規制する第１の規制部と
を具備する電子機器。
【請求項２】
請求項１に記載の電子機器であって、
前記扉の前記本体に対する回動軸をさらに具備し、
前記回動軸及び前記第１の規制部は一体に形成される
電子機器。
【請求項３】
請求項２に記載の電子機器であって、
前記扉が前記開放位置にあるとき、前記扉が前記開放位置から前記中間位置と反対の方向へ移動するのを規制する第２の規制部をさらに具備する
電子機器。
【請求項４】
請求項２又は請求項３に記載の電子機器であって、
前記中間位置にある前記扉の垂線に対する角度は、７０度以上８５度以下の範囲内に設定される
電子機器。
【請求項５】
請求項２又は請求項３に記載の電子機器であって、
前記開放位置にある前記扉の垂線に対する角度は、８７度以上９１度以下の範囲内に設定される
電子機器。
【発明の詳細な説明】
【技術分野】
【０００１】
本発明は、ディスク状記録媒体を挿抜可能であり、このディスク状記録媒体に対して情報を記録及び／又は再生することが可能な電子機器に関する。
【背景技術】
【０００２】
ＢＤ（Blue-ray Disc（登録商標））、ＤＶＤ（Digital Versatile Disc）、ＣＤ（Compact Disc）等のディスク状記録媒体に対して情報の記録及び／又は再生を行う電子機器装置本体のフロントパネルには、一般に、ディスク状記録媒体を装置本体の内外に亘って搬送するディスクトレイの挿脱口や、各種操作ボタン等が設けられる。装置本体には、フロントパネルに対して回動可能な扉が設けられる。扉の一端（例えば、下端）を回動の中心としてこの扉を回動させることにより、フロントパネルが外方に開放されたり閉塞されたりする。
【０００３】
近年、ディスクトレイの装置本体の内外に亘る排出に連動して自動的に扉を回動させ、フロントパネルを開放させる電子機器が知られている（例えば、特許文献１参照。）。特許文献１によれば、一端が扉に、他端がフロントパネルにそれぞれ支持されたバネの付勢力を用いて、ディスクトレイの排出に連動してフロントパネルの開放が行われる。具体的には、バネは、扉を閉塞方向に常時付勢している。ディスクトレイは、装置本体から排出されるとき、フロントパネルを閉塞している扉に干渉し、バネの付勢力に抗して扉を回動させてフロントパネルを開放させる。
【０００４】
また、扉が閉塞位置から開放位置に移動する初期には扉を閉塞方向に付勢して扉を付勢力に抗して移動させ、その後扉を開放方向に付勢して扉を自然に移動させ、開放位置に達した扉の移動を規制して扉の開放状態を維持する機構を有する電子機器も提案されている（例えば、特許文献２参照。）。
【先行技術文献】
【特許文献】
【０００５】
【特許文献１】特開２０１０−１９８７０１号公報（段落［００６６］〜［００６９］、図１２、図１９）
【特許文献２】特開２００５−１９４８４０号公報（段落［００８６］〜［００９６］、図１４）
【発明の概要】
【発明が解決しようとする課題】
【０００６】
ところで、支持点の位置関係が変化することを利用して付勢力の方向を切り替え可能な反転バネが知られている。この反転バネを用いれば、特許文献２のように閉塞方向の付勢力と開放作用方向の付勢力とを連続的に付与し、開放位置にある扉の移動を規制して扉の開放状態を維持することが可能な機構を、特許文献１のようにバネの付勢力のみで実現できると考えられる。
【０００７】
しかしながら、特許文献１によれば、ディスクトレイは装置本体から排出されるときにフロントパネルを閉塞している扉に干渉する。このため、扉を閉塞方向に付勢するバネの付勢力は、ディスクトレイの排出及び扉の回動を阻害しないように、ディスクトレイが扉を開放方向に押圧し扉を回動させる力よりも弱く設定されている。
【０００８】
このように、付勢力が弱い反転バネを用いると、扉が反転バネにより開放方向に付勢されることで扉の開放状態が維持されていても、ユーザがフロントパネルを操作する際等に誤って扉に触れてしまうと、扉が意図せず付勢方向の切替ポイントに移動するおそれがある。そして、扉が付勢方向の切替ポイントを超えると、扉が閉塞方向に付勢され、扉が意図せず閉塞してしまう。
【０００９】
以上のような事情に鑑み、本発明の目的は、ディスクトレイの排出に連動して扉を回動させることが可能な電子機器であって、扉を開放位置で安定的に保持することが可能な電子機器を提供することにある。
【課題を解決するための手段】
【００１０】
上記目的を達成するため、本発明の一形態に係る電子機器は、開口を有する本体と、扉と、付勢手段と、トレイと、第１の規制部とを有する。
上記扉は、上記開口を閉塞する閉塞位置と上記開口を開放する開放位置との間で上記本体に対して回動可能である。
上記付勢手段は、上記扉の上記閉塞位置と上記開放位置との間で予め決められた位置を中間位置として、上記中間位置と上記閉塞位置との間の第１の範囲にあるとき、上記扉を上記中間位置から上記閉塞位置へ向けて付勢し、上記扉が上記中間位置と上記開放位置との間の第２の範囲にあるとき、上記扉を上記中間位置から上記開放位置へ向けて付勢する。
上記トレイは、記録媒体を着脱可能であり、上記本体に対して上記開口を通じて排出及び挿入可能であり、上記本体から排出される際上記閉塞位置にある上記扉に干渉して上記扉を回動させる。
上記第１の規制部は、上記扉が上記第２の範囲にあるとき、上記扉に干渉して上記扉が上記開放位置から上記中間位置へ移動するのを規制する。
【００１１】
本形態によれば、付勢手段は、扉が第１の範囲にあるときには扉を中間位置から閉塞位置へ向けて付勢し、扉が第２の範囲にあるときには扉を中間位置から開放位置へ向けて付勢する。このような付勢手段を用いると、例えば、次のような問題が生じるおそれがある。すなわち、扉が開放位置にある際に、開口が設けられた本体のフロントパネルをユーザが操作しようしたとき、ユーザが扉に誤って触れてしまうと、扉がユーザの意図に反して開放位置から中間位置（付勢方向の切替ポイント）まで回動してしまうことがある。その結果、中間位置に回動した扉が、付勢手段により中間位置から閉塞位置へ向けて付勢され、ユーザの意図に反して中間位置から閉塞位置に自然に回動してしまう。
特に、本形態では、本体から排出されたトレイが扉に干渉し、付勢手段の付勢力に抗して扉を回動させる構成としている。このため、扉を閉塞方向に付勢する付勢手段の付勢力は、トレイの排出及び扉の回動を阻害しないように、トレイが扉を開放方向に押圧し扉を回動させる力よりも弱く設定されている。仮に、付勢力の強い付勢手段を用いれば、扉が開放位置にある際にユーザが扉に誤って触れても、扉が開放位置から中間位置（付勢方向の切替ポイント）まで回動し難いので、扉が閉塞位置まで回動してしまうのを防ぐことができる。しかしながら、付勢手段の付勢力が弱い場合はそうはいかない。
そこで、本形態によれば、扉が中間位置と開放位置との間の第２の範囲にあるとき、第１の規制部が扉に干渉することで、扉が開放位置から中間位置へ移動するのを規制することができる。これにより、付勢力の弱い付勢手段を用いているにも拘らず、扉が開放位置にある際にユーザが扉に誤って触れたときに、扉がユーザの意図に反して開放位置から中間位置（付勢方向の切替ポイント）まで回動してしまうのを防ぐことができる。その結果、中間位置に回動した扉が、付勢手段により中間位置から閉塞位置へ向けて付勢され、ユーザの意図に反して中間位置から閉塞位置に自然に回動してしまうのを防ぐことができる。
【００１２】
上記扉の上記本体に対する回動軸をさらに有してもよい。
上記回動軸及び上記第１の規制部は一体に形成されてもよい。
【００１３】
扉の回動の中心としての回動軸と、扉と干渉する第１の規制部とが一体に形成される。これにより、回動軸と第１の規制部とを別個の部品とする構成で生じうる誤差の発生を防止することができる。例えば、回動軸と第１の規制部とを別個の部品とすると、第１の規制部の回動軸に対する位置関係に個々の電子機器によって誤差がある場合、回動軸を中心として扉が回動する際に扉と第１の規制部とが適切に干渉しない電子機器が生じるおそれがある。これに対して、本形態では、第１の規制部の回動軸に対する位置関係が個々の電子機器によらず一定であるので、回動軸を中心として扉が回動する際に扉と第１の規制部とが適切に干渉する。
【００１４】
上記電子機器は、上記扉が上記開放位置にあるとき、上記扉が上記開放位置から上記中間位置と反対の方向へ移動するのを規制する第２の規制部をさらに有してもよい。
【００１５】
第２の規制部により、扉が開放位置で定位される。
【００１６】
上記中間位置にある上記扉の垂線に対する角度は、７０度以上８５度以下の範囲内に設定されてもよい。
【００１７】
本形態では、トレイの排出により扉が閉塞位置から中間位置に向けて回動し、トレイの挿入により扉が付勢手段により閉塞位置へ向けて付勢されて閉塞位置に自然に回動する構成としている。この構成とするためには、トレイが扉に干渉している間は常に付勢手段が扉を中間位置から閉塞位置へ向けて付勢する必要がある。このため、付勢方向の切替ポイントである中間位置をある程度低い位置（垂線に対して９０度に近い位置）に設定する必要がある。このように、中間位置が低い位置（垂線に対して９０度に近い位置）に設定されると、付勢力の弱い付勢手段を用いた場合、扉が開放位置にある際にユーザがフロントパネルを操作しようしたとき、ユーザが扉に誤って触れてしまうと、扉がユーザの意図に反して開放位置から回動して中間位置（付勢方向の切替ポイント）に到達し易い。その結果、中間位置に回動した扉が、付勢手段により中間位置から閉塞位置へ向けて付勢され、ユーザの意図に反して中間位置から閉塞位置に自然に回動してしまう。
しかしながら、本形態によれば、扉が中間位置と開放位置との間の第２の範囲にあるとき、第１の規制部が扉に干渉するので、扉が開放位置から中間位置へ移動するのを規制することができる。これにより、中間位置が低い位置（垂線に対して９０度に近い位置）に設定されているにも拘らず、扉が開放位置にある際にユーザが扉に誤って触れたときに、扉がユーザの意図に反して開放位置から中間位置（付勢方向の切替ポイント）まで回動してしまうのを防ぐことができる。その結果、中間位置に回動した扉が、付勢手段により中間位置から閉塞位置へ向けて付勢され、ユーザの意図に反して中間位置から閉塞位置に自然に回動してしまうのを防ぐことができる。
【００１８】
上記開放位置にある上記扉の垂線に対する角度は、８７度以上９１度以下の範囲内に設定されてもよい。
【００１９】
本形態のように、開放位置が低い位置（垂線に対して９０度に近い位置）に設定されると、扉が開放位置にある際にユーザがフロントパネルを操作し易いという利点がある。一方、付勢力の弱い付勢手段を用いた場合、扉が載置面に干渉してしまうと、扉がユーザの意図に反して開放位置から回動して中間位置（付勢方向の切替ポイント）に到達し易い。その結果、中間位置に回動した扉が、付勢手段により中間位置から閉塞位置へ向けて付勢され、ユーザの意図に反して中間位置から閉塞位置に自然に回動してしまう。
しかしながら、本形態によれば、扉が中間位置と開放位置との間の第２の範囲にあるとき、第１の規制部が扉に干渉するので、扉が開放位置から中間位置へ移動するのを規制することができる。これにより、開放位置が低い位置（垂線に対して９０度に近い位置）に設定されているにも拘らず、扉が開放位置にある際に扉が載置面に干渉したときに、扉がユーザの意図に反して開放位置から中間位置（付勢方向の切替ポイント）まで回動してしまうのを防ぐことができる。その結果、中間位置に回動した扉が、付勢手段により中間位置から閉塞位置へ向けて付勢され、ユーザの意図に反して中間位置から閉塞位置に自然に回動してしまうのを防ぐことができる。
【発明の効果】
【００２０】
本発明によれば、ディスクトレイの排出に連動して扉を回動させることが可能な電子機器において、扉を開放位置で安定的に保持することができる。
【図面の簡単な説明】
【００２１】
【図１】本発明の一実施形態に係る電子機器を示す斜視図である。
【図２】本体の内部構造を示す斜視図である。
【図３】プリント配線板近傍を示す模式図である。
【図４】本体のフロントパネル近傍及び扉を示す模式図である。
【図５】フロントパネル及びフロントパネルに取り付けられたパネルベースの背面図である。
【図６】図５の部分拡大図であり、円Ａで囲われた領域（回動機構）を示す。
【図７】扉が開放位置にある際の回動機構を示す斜視図である。
【図８】扉が開放位置にある際の回動機構を示すＹ−Ｚ面断面図である。
【図９】扉軸部材を示す斜視図である。
【図１０】扉軸部材を示す三面図であり、（ａ）は上面図、（ｂ）は背面図、（ｃ）は左側面図である。
【図１１】扉を背面側から示す斜視図である。
【図１２】扉を示す三面図であり、（ａ）は上面図、（ｂ）は背面図、（ｃ）は左側面図である。
【図１３】扉が開放位置にある際の扉と扉軸部材との関係を示す斜視図である。
【図１４】反転バネを示す斜視図である。
【図１５】反転バネを示す三面図であり、（ａ）は上面図、（ｂ）は背面図、（ｃ）は左側面図である。
【図１６】扉が閉塞位置にあるときの回動機構を模式的に示す断面図である。
【図１７】扉が閉塞位置と中間位置との間の第１の範囲にあるときの回動機構を模式的に示す断面図である。
【図１８】扉が第１の範囲にあるときの回動機構を模式的に示す別の断面図である。
【図１９】扉が中間位置にあるときの回動機構を模式的に示す断面図である。
【図２０】扉が開放位置にあるときの回動機構を模式的に示す断面図である。
【発明を実施するための形態】
【００２２】
以下、図面を参照しながら、本発明の実施形態を説明する。
【００２３】
［１．電子機器の構成］
図１は、本発明の一実施形態に係る電子機器を示す斜視図である。
本発明の一実施形態に係る電子機器１は、ＢＤ、ＤＶＤ、ＣＤ等のディスク状記録媒体に対して記録及び／又は再生を行う記録装置、再生装置又は記録再生装置である。電子機器１は、本体１００と、この本体１００に対して回動機構２（後で説明する）を介して回動可能な扉２００とを有する。
【００２４】
本体１００は、例えば略直方体状の筐体１１０と、この筐体１１０の一側面に設けられたフロントパネル３００とを有する。フロントパネル３００は、本体１００に対して排出／挿入可能であり、ディスク状記録媒体（図示せず）を本体１００の内外に亘って搬送するディスクトレイ３０１の挿脱口３０３と、各種操作ボタン３０２と、ＬＣＤ（Liquid Crystal Display）等の表示画面３０４と、各種端子３０５と、ＬＥＤ（Light Emitting Diode）等の発光部３０６等が設けられたユーザインタフェース面であり、例えばアルミニウム等で形成される意匠パネルである。本体１００を載置面に載置した際、フロントパネル３００の表面３１６は載置面（水平面）に対して例えば垂直である。フロントパネル３００の背面３０９の下端部３０７を除く領域には、各種部品を組み付けるためのシャーシとしてのパネルベース３１０が取り付けられる（図５、図８等参照）。
【００２５】
扉２００は、フロントパネル３００を閉塞するカバー２０３を有し、フロントパネル３００の下端部３０７に対して回動可能に取り付けられる。フロントパネル３００の下端部３０７に取り付けられるカバー２０３の下端部２０１を回動の中心として扉２００を本体１００に対して回動させることにより、フロントパネル３００が開放／閉塞される。カバー２０３には、フロントパネル３００の閉塞時に表示画面３０４を露出するための開口２０２が設けられる。
【００２６】
ディスクトレイ３０１が本体１００の挿脱口３０３から排出すると、ディスクトレイ３０１はフロントパネル３００を閉塞する扉２００に干渉し、扉２００を本体１００に対して回動させることにより、フロントパネル３００を開放する。
【００２７】
以下の説明において、ディスクトレイ３０１の排出／挿入方向を「Ｙ方向」、本体１００の高さ方向を「Ｚ方向」、フロントパネル３００及びカバー２０３の長手方向を「Ｘ方向」と呼ぶ。上記３方向は互いに略直交する。扉２００がフロントパネル３００を完全に閉塞する状態での扉２００の位置を「閉塞位置」、扉２００がフロントパネル３００を開放し、それ以上回動不可能な状態での扉２００の位置を「開放位置」と呼ぶ。扉２００が閉塞位置から開放位置へと回動する際の回動の方向を「開放方向」、扉２００が開放位置から閉塞位置へと回動する際の回動の方向を「閉塞方向」と呼ぶ。本体１００のフロントパネル３００側を「正面」、その反対を「背面」、本体１００の正面を視認した際の右手を「右」、左手を「左」、本体１００を載置面に載置する際この載置面に対向する面を「底面」、その反対を「上面」と呼ぶ。
【００２８】
図２は、本体の内部構造を示す斜視図である。
本体１００は、筐体１１０内に、シャーシ１１１と、シャーシ１１１に搭載されたプリント配線板１１２及び電子デバイスと、ファンモータ１１３等を収容する。
【００２９】
図３は、プリント配線板近傍を示す模式図である。
プリント配線板１１２には、ＬＳＩ（Large Scale Integration）１１４が実装される。ＬＳＩ１１４は、熱伝導シート１１６を介してヒートシンク１１５に接続される。ヒートシンク１１５の近傍のシャーシ１１１には通風穴１１７が設けられ、外気を取り入れてヒートシンク１１５の周囲を通過し、ファンモータ１１３によって筐体１１０外部へ排出される。また、ヒートシンク１１５とシャーシ１１１の空間１１８は狭いため、ヒートシンク１１５の放射熱によってシャーシ１１１を介して外部へ排熱し、全体の放熱を補助する。ヒートシンク１１５とシャーシ１１１を直接接触させず空間１１８を設けることにより、通風穴１１７から流入する空気の流路を確保するとともに、シャーシ１１１に伝導する熱量を抑えてシャーシの過剰な温度上昇を防止できる。例えば、熱伝導シート１１６の厚さは約０．５ｍｍ、ヒートシンク１１５の厚さは約１ｍｍ、ヒートシンク１１５とシャーシ１１１との空間１１８は約１ｍｍである。これにより、放熱構造の省スペース化（薄型化）を実現できる。
【００３０】
図４は、本体のフロントパネル近傍及び扉を示す模式図である。
扉２００のカバー２０３には、半透過層２０７が蒸着等により形成される。このため、（ａ）の扉２００が閉塞した状態では、発光部３０６の光を透過して、電子機器１の状態を表示することができる。非通電時は、発光部３０６は消灯し、半透過層２０７により発光部３０６は完全に隠蔽されて視認できなくなる。一方、（ｂ）の扉２００が開放した状態では、発光部３０６の光により電子機器１の状態を表示すると共に、照明効果によりフロントパネル３００の視認性が向上する。
【００３１】
［２．回動機構の構成］
次に、扉２００の本体１００に対する回動機構２の構成について説明する。
【００３２】
図５は、フロントパネル及びフロントパネルに取り付けられたパネルベースの背面図である。
回動機構２は、フロントパネル３００の下端部３０７の左右一方の端部に設けられる。本実施形態では、本体１００をフロントパネル３００側から視認したとき、フロントパネル３００の下端部３０７の右端部３０８（図１参照）の円Ａで囲われた領域に、回動機構２が設けられる。
【００３３】
図６は、図５の部分拡大図であり、円Ａで囲われた領域（回動機構）を示す。図７は、扉が開放位置にある際の回動機構を示す斜視図である。図８は、扉が開放位置にある際の回動機構を示すＹ−Ｚ面断面図である。
回動機構２は、扉２００を本体１００に対して回動可能に連結するとともに、所定の回動位置において扉２００の回動を規制し、開放／閉塞方向において扉２００に所定の付勢力を付与する機構である。回動機構２は、扉２００と、扉軸部材４００と、反転バネ５００（図８では図示せず）とを有する。扉軸部材４００は、ネジ６００によりパネルベース３１０に固定され、扉２００を本体１００に対して回動可能に連結するとともに、所定の回動位置において扉２００の回動を規制する。反転バネ５００は、開放／閉塞方向において扉２００に所定の付勢力を付与する。以下、同図及び以下に示す図面を参照しながら各部材の構成や組み合わせ等について説明する。
【００３４】
［（１）扉軸部材の構成］
図９は、扉軸部材を示す斜視図である。図１０は、扉軸部材を示す三面図であり、（ａ）は上面図、（ｂ）は背面図、（ｃ）は左側面図である。
扉軸部材４００は、扉軸本体４１０と、扉軸本体４１０に設けられたネジ穴４１１、回動軸４１２及び回動規制片４１３とを有する。
【００３５】
扉軸部材４００は、扉軸本体４１０に設けられたネジ穴４１１を介して、ネジ６００によりパネルベース３１０の背面３１２に設けられたネジ穴３１１に固定される（図８参照）。これにより、扉軸部材４００が本体１００に固定される。
【００３６】
回動軸４１２は、円筒状であり、扉軸部材４００がパネルベース３１０に固定された際、扉軸本体４１０からＸ方向に突出する（図８参照）。回動軸４１２は、扉２００の軸穴（後で説明する）に挿入され、これにより扉２００がフロントパネル３００に対して回動可能となる。
【００３７】
回動規制片４１３は、扉軸部材４００がパネルベース３１０に固定された際、扉軸本体４１０からパネルベース３１０に向けてＹ方向に突出する。回動規制片４１３は、扉軸本体４１０に比較してＸ方向の幅が狭く且つＺ方向の厚みが薄く形成された板バネ状の部材であり、扉軸本体４１０から連続する基部４１４を支点として主にＺ方向に弾性を有する。基部４１４に比較してより大きな弾性を有する、回動規制片４１３の先端４１５側の所定位置には、扉ロック部４２０が設けられる。
【００３８】
扉ロック部４２０は、回動規制片４１３をＺ方向下方に「く」字状に湾曲させることで形成される。扉ロック部４２０は、頂点部４２１と、開放方向規制部４２２と、閉塞方向規制部４２３とを有する。頂点部４２１は、Ｚ方向最下方に位置する「く」字状の湾曲の頂点を構成する。開放方向規制部４２２は、回動規制片４１３の基部４１４側から頂点部４２１に向かって傾斜する傾斜面を構成する。閉塞方向規制部４２３は、回動規制片４１３の先端４１５側から頂点部４２１に向かって傾斜する傾斜面を構成する。
【００３９】
［（２）扉の構成］
図１１は、扉を背面側から示す斜視図である。図１２は、扉を示す三面図であり、（ａ）は上面図、（ｂ）は背面図、（ｃ）は左側面図である。
扉２００は、カバー２０３と、複数の軸受部２０４と、回動機構軸受部２１０とを有する。複数の軸受部２０４は、カバー２０３の背面２０６の下端部２０１に設けられ、本体１００に設けられる回動軸（図示せず）を挿入可能な軸穴を有する。回動機構軸受部２１０は、カバー２０３の背面２０６の下端部２０１に略垂直に設けられ、回動機構２を構成する。本実施形態では、カバー２０３の下端部２０１の右端部２０５に回動機構軸受部２１０が設けられる。
【００４０】
図１３は、扉が開放位置にある際の扉と扉軸部材との関係を示す斜視図である。
回動機構軸受部２１０は、軸受本体２１１と、軸受本体２１１に設けられた軸穴２１２、バネ穴２１３及び係合突起２２０とを有する。
【００４１】
軸穴２１２は、回動軸４１２の直径よりわずかに大きい直径に形成される。軸穴２１２には、本体１００（図１３では図示せず）に固定された扉軸部材４００からＸ方向に突出する回動軸４１２が挿入される。これにより、扉２００が本体１００に対して回動自在に支持される。この際軸穴２１２は、Ｙ−Ｚ面に配置された軸受本体２１１をＸ方向に貫通する。
【００４２】
バネ穴２１３は、貫通方向が軸穴２１２と同じＸ方向であり、カバー２０３に対して軸穴２１２よりも離れた位置に設けられる。バネ穴２１３には反転バネ５００の一端が挿入され（図７等参照）、反転バネ５００が扉２００に対して支持される。
【００４３】
係合突起２２０は、軸穴２１２の中心点とバネ穴２１３の中心点とを結んだ直線の延長線と略等しい方向に突出し、且つ軸穴２１２よりもバネ穴２１３に近い位置に設けられる。係合突起２２０は、軸穴２１２に回動軸４１２が挿入されて扉２００が開放位置にある際、扉ロック部４２０の閉塞方向規制部４２３の傾斜面に当接するようにして、閉塞方向規制部４２３に係合する。係合突起２２０の先端２２４は、略半球形に形成される。
【００４４】
図８を参照して、このように扉２００が開放位置にある際、軸受本体２１１において、カバー２０３の背面２０６から略垂直に立ち上がる部位２１５は、フロントパネル３００の背面３０９の下端部３０７に対向する。軸受本体２１１のこの部位２１５をフロントパネル係合部２１５と呼ぶ。フロントパネル係合部２１５のカバー２０３から最も離れた部位には切欠き部２１６が設けられる。この切欠き部２１６から係合突起２２０に向けて立ち上がる部位２１７は、パネルベース３１０の背面３１２に当接する。軸受本体２１１のこの部位２１７をパネルベース係合部２１７と呼ぶ。上述のように、パネルベース３１０はフロントパネル３００の背面３０９の下端部３０７を除く領域に取り付けられている。このため、フロントパネル係合部２１５がフロントパネル３００の背面３０９の下端部３０７に対向し、切欠き部２１６を介してフロントパネル係合部２１５に隣り合うパネルベース係合部２１７がパネルベース３１０の背面３１２に当接する構成となる。
【００４５】
係合突起２２０と、パネルベース係合部２１７のカバー２０３から最も離れた部位とは、なだらかな斜辺を構成する傾斜部２１８により連結されている。この傾斜部２１８の傾斜角は、扉ロック部４２０の開放方向規制部４２２の傾斜角と略等しい。一方、係合突起２２０とパネルベース係合部２１７に対向する部位２１９とを連結する連結部２１４は、係合突起２２０及び部位２１９に対して略垂直に形成される。係合突起２２０の頂点２２１から、傾斜部２１８から連続する係合突起２２０の基部２２２までの距離は、係合突起２２０の頂点２２１から、連結部２１４から連続する係合突起２２０の基部２２３までの距離より小さい。
【００４６】
［（３）反転バネの構成］
図１４は、反転バネを示す斜視図である。図１５は、反転バネを示す三面図であり、（ａ）は上面図、（ｂ）は背面図、（ｃ）は左側面図である。
反転バネ５００は、一端部５０１から渦巻状に巻かれた第１のコイル部５０２と、第１のコイル部５０２の終端から直線的に延びる中間部５０３と、中間部５０３の終端から渦巻状に巻かれた第２のコイル部５０４と、第２のコイル部５０４の終端から直線的に延びる腕部５０５と、腕部５０５の終端から略垂直に折り曲げられ、他端部５０６まで直線的に延びる折曲部５０７とを有する。すなわち、第１のコイル部５０２及び第２のコイル部５０４の渦巻きはＹ−Ｚ面に沿って巻かれ、中間部５０３及び腕部５０５はＹ−Ｚ面に沿って延び、折曲部５０７はＸ方向に延びる。
【００４７】
図６及び図７を参照して、パネルベース３１０の背面３１２からＹ方向に突出する右側板３１３の内側面３１４すなわち筐体１１０の内部側を向く面には、Ｘ方向に突出する円筒状のバネ支持部３１５が設けられる。バネ支持部３１５の直径は、第１のコイル部５０２の内径よりわずかに小さく形成される。第１のコイル部５０２は、バネ支持部３１５に挿入される。これにより、反転バネ５００の一端部５０１側が、バネ支持部３１５により回動自在に支持される。
【００４８】
折曲部５０７は、パネルベース３１０に固定された扉軸部材４００に回動可能に支持された扉２００の軸受本体２１１に設けられたバネ穴２１３に挿入される。これにより、反転バネ５００の他端部５０６側が、扉２００の軸受本体２１１に対して回動自在に支持される。
【００４９】
反転バネ５００は、扉２００の開放／閉塞方向の回動に伴って、支持点すなわち第１のコイル部５０２及び折曲部５０７の位置関係が変化することを利用して、扉２００の閉塞位置と開放位置との間の回動範囲の中間位置で付勢力の方向が切り替えられるようになっている。ここで、閉塞位置と開放位置との中間位置は距離的に厳密な意味での中間であってもよいが、閉塞位置と開放位置との間に設定上任意に決められた位置であってもよい。これらを含めて、ここでは中間位置と呼ぶこととする。
【００５０】
扉２００が閉塞位置と中間位置との間の第１の範囲にあるときには、反転バネ５００は、扉２００を中間位置から閉塞位置へ向けて付勢する。扉２００が中間位置と開放位置との間の第２の範囲にあるときには、反転バネ５００は、扉２００を中間位置から開放位置へ向けて付勢する。一方、上述のように、本体１００から排出されたディスクトレイ３０１が閉塞位置にある扉２００に干渉し、扉２００を回動させる。このため、扉２００を閉塞方向に付勢する反転バネ５００の付勢力は、ディスクトレイ３０１の排出及び扉２００の回動を阻害しないように、ディスクトレイ３０１が扉２００を開放方向に押圧し扉２００を回動させる力よりも弱く設定される。
【００５１】
［３．回動機構の動作］
次に、以上のように構成された回動機構２の動作について説明する。動作の説明は、以下の順に行うものとする。
（１）扉が閉塞位置から開放位置まで開放方向に回動する際の回動機構の動作
（２）扉が開放位置から閉塞位置まで閉塞方向に回動する際の回動機構の動作
【００５２】
［（１）扉が閉塞位置から開放位置まで開放方向に回動する際の回動機構の動作］
図１６は、扉が閉塞位置にあるときの回動機構を模式的に示す断面図である。
扉２００が閉塞位置にある状態において、ディスクトレイ３０１が本体１００の挿脱口３０３から排出されると、ディスクトレイ３０１は扉２００のカバー２０３の背面２０６に干渉する。
【００５３】
図１７は、扉が閉塞位置と中間位置との間の第１の範囲にあるときの回動機構を模式的に示す断面図である。
ディスクトレイ３０１の排出によって扉２００を排出方向へ移動させようとする力が加えられることにより、扉２００が閉塞位置から中間位置に向けて回動する。上述のように、扉２００が閉塞位置と中間位置との間の第１の範囲にあるときには、反転バネ５００は、扉２００を中間位置から閉塞位置へ向けて付勢する。このため、開放方向に閉塞位置から中間位置に扉２００が回動するときには、反転バネ５００による力に抗して扉２００が回動する。このとき、扉２００のカバー２０３はＺ１方向（Ｚ方向下方）に移動し、一方、カバー２０３に略垂直に設けられた回動機構軸受部２１０は回動軸４１２が挿入された軸穴２１２を支点としてＺ２方向（Ｚ方向上方）に移動する。その結果、回動機構軸受部２１０の係合突起２２０は扉軸部材４００の扉ロック部４２０に接近する方向に移動する。
【００５４】
なお、ディスクトレイ３０１が完全に排出した際、扉２００のカバー２０３の上端部２０８はディスクトレイ３０１の底面３１７に干渉しており、反転バネ５００は扉２００を中間位置から閉塞位置へ向けて付勢する。この状態からディスクトレイ３０１を本体１００に挿入すると、扉２００は反転バネ５００により閉塞位置へ向けて付勢され、閉塞位置に自然に回動する。
【００５５】
なお、ここではディスクトレイ３０１の排出によって扉２００を排出方向へ移動させようとする力が加えられることにより扉２００が回動するものとした。しかしながら、ユーザの指による操作によって扉２００をフロントパネル３００から離間させようとする力が加えられることにより、扉２００が閉塞位置から中間位置に向けて回動する場合にも、回動機構２は上記と同様に動作する。
【００５６】
図１８は、扉が第１の範囲にあるときの回動機構を模式的に示す別の断面図である。
さらに、ユーザによる操作により扉２００を閉塞位置から中間位置に向けて回動させようとする力が加えられると、扉２００の係合突起２２０が扉軸部材４００の扉ロック部４２０の開放方向規制部４２２に干渉する。上述のように、係合突起２２０は、開放方向規制部４２２の傾斜角と略等しい傾斜角を有する傾斜部２１８から連続して形成されている。このため、係合突起２２０が開放方向規制部４２２に干渉するまで、ユーザは抵抗感を殆ど感じることなく、係合突起２２０を開放方向規制部４２２に沿わせるようにして、スムースに扉２００を回動させることができる。なお、係合突起２２０が開放方向規制部４２２に干渉し始める際、扉２００のカバー２０３の背面２０６とフロントパネル３００の表面３１６とで構成される角θ１は、例えば８０．６度である。
【００５７】
図１９は、扉が中間位置にあるときの回動機構を模式的に示す断面図である。
係合突起２２０が開放方向規制部４２２に干渉している際、さらに、ユーザによる操作により扉２００を閉塞位置から中間位置に向けて回動させようとする力が加えられる。ユーザからの圧力が所定値を超えると、扉２００がさらに回動し、係合突起２２０はＹ１方向に移動し始める。扉２００が回動を始めると、係合突起２２０は、係合突起２２０の略半球形の先端２２４と開放方向規制部４２２の傾斜面との干渉により、回動規制片４１３の付勢力に抗いつつ開放方向規制部４２２を押上げる。その結果、扉２００の中間位置において、係合突起２２０の先端２２４は扉ロック部４２０の頂点部４２１に干渉する。扉２００が中間位置に位置するときには、反転バネ５００（図１９では図示省略）による閉塞方向への付勢力と開放方向への付勢力とが略釣り合って、扉２００の回動を付勢する力はほとんど発生しない。なお、扉２００が中間位置に位置する際、扉２００のカバー２０３の背面２０６とフロントパネル３００の表面３１６とで構成される角θ２は、例えば７０度以上８５度以下であり、より具体的には、例えば８４．３度である。
【００５８】
図２０は、扉が開放位置にあるときの回動機構を模式的に示す断面図である。
さらに、ユーザによる操作により扉２００を中間位置から開放位置に向けて回動させようとする力が加えられると、係合突起２２０は、扉ロック部４２０の閉塞方向規制部４２３との干渉位置に達する。すると、回動規制片４１３の付勢力によって、係合突起２２０は閉塞方向規制部４２３に沿って引き込まれる。上述のように、扉２００が中間位置と開放位置との間の第２の範囲にあるときには、反転バネ５００（図２０では図示省略）は、扉２００を中間位置から開放位置へ向けて付勢する。このため、開放方向に中間位置から開放位置に扉２００が回動するときには、扉２００は中間位置から開放位置に自然に回動する。そして、扉２００のパネルベース係合部２１７は、フロントパネル３００の背面３０９に設けられたパネルベース３１０の背面３１２に干渉する。これにより、扉２００は開放位置で定位される。なお、扉２００が開放位置に位置する際、扉２００のカバー２０３の背面２０６とフロントパネル３００の表面３１６とで構成される角θ３は、例えば８７度以上９１度以下であり、より具体的には、例えば８８．５度である。
【００５９】
このように、本実施形態の回動機構２では、扉２００の開放方向への移動範囲において、閉塞位置から中間位置までユーザが意図して回動させれば、中間位置から開放位置までは、反転バネ５００の作用で、扉２００は自然にユーザの意図する開放方向へ回動する。そして、反転バネ５００の開放方向への付勢力と、扉２００の係合突起２２０の扉軸部材４００の閉塞方向規制部４２３への干渉と、扉２００のパネルベース係合部２１７のパネルベース３１０への干渉により、扉２００が開放位置で定位される。
【００６０】
［（２）扉が開放位置から閉塞位置まで閉塞方向に回動する際の回動機構の動作］
扉２００が開放位置（図２０参照）にある状態において、ユーザによる操作により扉２００を開放位置から中間位置に向けて回動させようとする力が加えられることにより、扉２００が開放位置から中間位置に向けて回動する。扉２００が中間位置と開放位置との間の第２の範囲にあるときには、反転バネ５００は、扉２００を中間位置から開放位置へ向けて付勢する。このため、閉塞方向に開放位置から中間位置に扉２００が回動するときには、反転バネ５００による力に抗して扉２００が回動する。このとき、扉２００のカバー２０３はＺ２方向に移動し、一方、カバー２０３に略垂直に設けられた回動機構軸受部２１０は回動軸４１２が挿入された軸穴２１２を支点としてＺ１方向に移動する。その結果、扉２００の係合突起２２０が扉軸部材４００の扉ロック部４２０の閉塞方向規制部４２３に干渉する。上述のように、係合突起２２０は、係合突起２２０に対して略垂直に形成された連結部２１４から連続して形成されている。このため、係合突起２２０が閉塞方向規制部４２３に干渉するまで、ユーザはほとんど全く抵抗感を感じることなくスムースに扉２００を回動させることができる。
【００６１】
係合突起２２０が閉塞方向規制部４２３に干渉している際、さらに、ユーザによる操作により扉２００を開放位置から中間位置に向けて回動させようとする力が加えられる。ユーザからの圧力が所定値を超えると、扉２００がさらに回動し、係合突起２２０はＹ２方向に移動し始める。扉２００が回動を始めると、係合突起２２０は、係合突起２２０の略半球形の先端２２４と閉塞方向規制部４２３の傾斜面との干渉により、回動規制片４１３の付勢力に抗いつつ閉塞方向規制部４２３を押上げる。その結果、扉２００の中間位置（図１９参照）において、係合突起２２０の先端２２４は扉ロック部４２０の頂点部４２１に干渉する。扉２００が中間位置に位置するときには、反転バネ５００による閉塞方向への付勢力と開放方向への付勢力とが略釣り合って、扉２００の回動を付勢する力はほとんど発生しない。
【００６２】
さらに、ユーザによる操作により扉２００を中間位置から閉塞位置に向けて回動させようとする力が加えられると、係合突起２２０は、扉ロック部４２０の開放方向規制部４２２との干渉位置に達する。すると、回動規制片４１３の付勢力によって、係合突起２２０は開放方向規制部４２２に沿って引き込まれる（図１８参照）。扉２００が閉塞位置と中間位置との間の第１の範囲にあるときには、反転バネ５００は、扉２００を中間位置から閉塞位置へ向けて付勢する。このため、閉塞方向に中間位置から閉塞位置に扉２００が回動するときには、扉２００は中間位置から閉塞位置に自然に回動する。そして、扉２００のカバー２０３の背面２０６は、ディスクトレイ３０１が挿入されている場合には、フロントパネル３００の表面３１６に干渉する。これにより、扉２００は閉塞位置（図１６参照）で定位される。
【００６３】
このように、本実施形態の回動機構２では、扉２００の閉塞方向への移動範囲において、開放位置から中間位置までユーザが意図して回動させれば、中間位置から閉塞位置までは、反転バネ５００の作用で、扉２００は自然にユーザの意図する閉塞方向へ回動する。そして、反転バネ５００の閉塞方向への付勢力と、扉２００のカバー２０３のフロントパネル３００への干渉とにより、扉２００が閉塞位置で定位される。
【００６４】
本実施形態によれば、反転バネ５００は、扉２００が第１の範囲にあるときには扉２００を中間位置から閉塞位置へ向けて付勢し、扉２００が第２の範囲にあるときには扉２００を中間位置から開放位置へ向けて付勢する。このような反転バネ５００を用いると、例えば、次のような問題が生じるおそれがある。すなわち、扉２００が開放位置にある際にユーザがフロントパネル３００を操作しようしたとき、ユーザが扉２００に誤って触れてしまうと、扉２００がユーザの意図に反して開放位置から中間位置（付勢方向の切替ポイント）まで回動してしまうことがある。その結果、中間位置に回動した扉２００が、反転バネ５００により中間位置から閉塞位置へ向けて付勢され、ユーザの意図に反して中間位置から閉塞位置に自然に回動してしまう。
【００６５】
特に、本実施形態では、本体１００から排出されたディスクトレイ３０１が扉２００に干渉し、反転バネ５００の付勢力に抗して扉２００を回動させる構成としている。このため、扉２００を閉塞方向に付勢する反転バネ５００の付勢力は、ディスクトレイ３０１の排出及び扉２００の回動を阻害しないように、ディスクトレイ３０１が扉２００を開放方向に押圧し扉２００を回動させる力よりも弱く設定されている。仮に、付勢力の強い反転バネを用いれば、扉２００が開放位置にある際にユーザが扉２００に誤って触れても、扉２００が開放位置から中間位置（付勢方向の切替ポイント）まで回動し難いので、扉２００が閉塞位置まで回動してしまうのを防ぐことができる。しかしながら、反転バネ５００の付勢力が弱い場合はそうはいかない。
【００６６】
そこで、本実施形態によれば、扉２００が中間位置と開放位置との間の第２の範囲にあるとき、閉塞方向規制部４２３が扉２００の係合突起２２０に干渉することで、扉２００が開放位置から中間位置へ移動するのを規制することができる。これにより、付勢力の弱い反転バネ５００を用いているにも拘らず、扉２００が開放位置にある際にユーザが扉２００に誤って触れたときに、扉２００がユーザの意図に反して開放位置から中間位置（付勢方向の切替ポイント）まで回動してしまうのを防ぐことができる。その結果、中間位置に回動した扉２００が、反転バネ５００により中間位置から閉塞位置へ向けて付勢され、ユーザの意図に反して中間位置から閉塞位置に自然に回動してしまうのを防ぐことができる。
【００６７】
また、本実施形態によれば、扉２００の回動の中心としての回動軸４１２と、扉２００の係合突起２２０と干渉する回動規制片４１３とが、扉軸部材４００として一体に形成される。これにより、回動軸４１２と回動規制片４１３とを別個の部品とする構成で生じうる誤差の発生を防止することができる。例えば、回動軸４１２と回動規制片４１３とを別個の部品とすると、回動規制片４１３の回動軸４１２に対する位置関係に個々の電子機器によって誤差がある場合、回動軸４１２を中心として扉２００が回動する際に係合突起２２０が扉ロック部４２０に適切に干渉しない電子機器が生じるおそれがある。これに対して、本実施形態では、回動規制片４１３の回動軸４１２に対する位置関係が個々の電子機器によらず一定であるので、回動軸４１２を中心として扉２００が回動する際に係合突起２２０が扉ロック部４２０に適切に干渉する。
【００６８】
また、本実施形態によれば、扉２００が中間位置に位置する際、扉２００のカバー２０３の背面２０６と、載置面（水平面）に対して例えば垂直であるフロントパネル３００の表面３１６とで構成される角θ２は、例えば７０度以上８５度以下である。本実施形態では、ディスクトレイ３０１の排出により扉２００が閉塞位置から中間位置に向けて回動し、ディスクトレイ３０１の挿入により扉２００が反転バネ５００により閉塞位置へ向けて付勢されて閉塞位置に自然に回動する構成としている。この構成とするためには、ディスクトレイ３０１が扉２００に干渉している間は常に反転バネ５００が扉２００を中間位置から閉塞位置へ向けて付勢する必要がある。このため、付勢方向の切替ポイントである中間位置をある程度低い位置（９０度に近い位置）に設定する必要がある。このように、中間位置が低い位置（９０度に近い位置）に設定されると、付勢力の弱い反転バネ５００を用いた場合、扉２００が開放位置にある際にユーザがフロントパネル３００を操作しようしたとき、ユーザが扉２００に誤って触れてしまうと、扉２００がユーザの意図に反して開放位置から回動して中間位置（付勢方向の切替ポイント）に到達し易い。その結果、中間位置に回動した扉２００が、反転バネ５００により中間位置から閉塞位置へ向けて付勢され、ユーザの意図に反して中間位置から閉塞位置に自然に回動してしまう。
【００６９】
しかしながら、本実施形態によれば、扉２００が中間位置と開放位置との間の第２の範囲にあるとき、閉塞方向規制部４２３が扉２００の係合突起２２０に干渉するので、扉２００が開放位置から中間位置へ移動するのを規制することができる。これにより、中間位置が低い位置（９０度に近い位置）に設定されているにも拘らず、扉２００が開放位置にある際にユーザが扉２００に誤って触れたときに、扉２００がユーザの意図に反して開放位置から中間位置（付勢方向の切替ポイント）まで回動してしまうのを防ぐことができる。その結果、中間位置に回動した扉２００が、反転バネ５００により中間位置から閉塞位置へ向けて付勢され、ユーザの意図に反して中間位置から閉塞位置に自然に回動してしまうのを防ぐことができる。
【００７０】
また、本実施形態によれば、扉２００が開放位置に位置する際、扉２００のカバー２０３の背面２０６と、載置面（水平面）に対して例えば垂直であるフロントパネル３００の表面３１６とで構成される角θ３は、例えば８７度以上９１度以下である。このように、開放位置が低い位置（９０度に近い位置）に設定されると、扉２００が開放位置にある際にユーザがフロントパネル３００を操作し易いという利点がある。一方、付勢力の弱い反転バネ５００を用いた場合、扉２００が載置面に干渉してしまうと、扉２００がユーザの意図に反して開放位置から回動して中間位置（付勢方向の切替ポイント）に到達し易い。その結果、中間位置に回動した扉２００が、反転バネ５００により中間位置から閉塞位置へ向けて付勢され、ユーザの意図に反して中間位置から閉塞位置に自然に回動してしまう。
【００７１】
しかしながら、本実施形態によれば、扉２００が中間位置と開放位置との間の第２の範囲にあるとき、閉塞方向規制部４２３が扉２００の係合突起２２０に干渉するので、扉２００が開放位置から中間位置へ移動するのを規制することができる。これにより、開放位置が低い位置（９０度に近い位置）に設定されているにも拘らず、扉２００が開放位置にある際に扉２００が載置面に干渉したときに、扉２００がユーザの意図に反して開放位置から中間位置（付勢方向の切替ポイント）まで回動してしまうのを防ぐことができる。その結果、中間位置に回動した扉２００が、反転バネ５００により中間位置から閉塞位置へ向けて付勢され、ユーザの意図に反して中間位置から閉塞位置に自然に回動してしまうのを防ぐことができる。
【符号の説明】
【００７２】
１…電子機器
１００…本体
２００…扉
３０１…ディスクトレイ
４１３…回動規制片
５００…反転バネ
【図１】
2012123863.tif 000003
【図３】
2012123863.tif 000004
【図４】
2012123863.tif 000005
【図５】
2012123863.tif 000006
【図６】
2012123863.tif 000007
【図７】
2012123863.tif 000008
【図８】
2012123863.tif 000009
【図９】
2012123863.tif 000010
【図１０】
2012123863.tif 000011
【図１１】
2012123863.tif 000012
【図１２】
2012123863.tif 000013
【図１３】
2012123863.tif 000014
【図１４】
2012123863.tif 000015
【図１５】
2012123863.tif 000016
【図１６】
2012123863.tif 000017
【図１７】
2012123863.tif 000018
【図１８】
2012123863.tif 000019
【図１９】
2012123863.tif 000020
【図２０】
2012123863.tif 000021
【図２】
2012123863.tif 000022